(57)【要約】【課題】冊子状の見本帳自体に動画像を投影するように構成した販売促進情報を選択的に提示する動画像表示システムを提供すること。【解決手段】複数葉のシート２を中央で綴り合わせ、一葉捲る毎に個別の情報が現われるように冊子状に構成し、見開いた一方のシート面２Ａに伝達すべき情報を表示する情報表示部４と、情報表示部の情報をコード化したコード表示部５とを備え、見開いた他方のシート面２Ｂをスクリーン領域６とする情報伝達媒体１と、コード表示部のコードを読み取るコード読み取り手段１２と、コード読み取り手段によって読み取られた情報に基づいて、プログラムされた動画像を選択するコンピュータ手段１３と、選択された動画像を出力し、情報伝達媒体におけるスクリーン領域に動画像を投影するプロジェクタ手段１４とを組み合わせてなる販売促進情報を選択的に提示する動画像表示システム。【選択図】図１
2005084599.tif 000002
【特許請求の範囲】
【請求項１】
複数葉のシートを冊子状に綴り合わせ、見開いた一方のシート面に伝達すべき情報を表示する情報表示部と、前記情報表示部の情報をコード化して表示するコード表示部とを備え、見開いた他方のシート面をスクリーン領域とする情報伝達媒体と、前記コード表示部のコード表示を読み取るコード読み取り手段と、前記コード読み取り手段によって読み取られた情報に基づいて、プログラムされた動画像を選択するコンピュータ手段と、前記選択された動画像を出力し、前記情報伝達媒体のスクリーン領域に動画像を投影するプロジェクタ手段とを組み合わせてなることを特徴とする販売促進情報を選択的に提示する動画像表示システム。
【請求項２】
前記情報伝達媒体の情報表示部が、視覚並びに触覚により情報を認識するサンプル等を取付けるための第１の情報表示部と、視覚により情報を認識するイラストあるいは写真等による第２の情報表示部とからなることを特徴とする請求項１に記載の販売促進情報を選択的に提示する動画像表示システム。
【請求項３】
前記第１の情報表示部におけるサンプル等が、衣服仕立てのための生地サンプル片であり、前記第２の情報表示部におけるイラストあるいは写真等が、前記生地サンプル片に基づいて仕立てられた衣服のデザイン形態を現わすものであり、スクリーン領域に投影される動画像が、前記仕立てられた衣服を着用したモデルの動的姿態を現わすものからなることを特徴とする請求項１あるいは請求項２に記載の販売促進情報を選択的に提示する動画像表示システム。
【請求項４】
前記コード読み取り手段によって読み取られた情報に基づいて、前記コンピュータ手段にプログラムされた音声を出力する音声発生手段を備えてなることを特徴とする請求項１〜請求項３のいずれかに記載の販売促進情報を選択的に提示する動画像表示システム。
【請求項５】
前記複数葉のシートが、紙あるいは合成紙等であって、可撓性を有し、印刷、接着並びに画像投影に適したものからなることを特徴とする請求項１〜請求項４のいずれかに記載の販売促進情報を選択的に提示する動画像表示システム。
【請求項６】
前記コード表示部に表示されるコードが、バーコードであることを特徴とする請求項１〜請求項５のいずれかに記載の販売促進情報を選択的に提示する動画像表示システム。
【請求項７】
前記情報伝達媒体が、見開き状態で当該情報伝達媒体を支持するテーブル上に載置され、位置決め手段によって位置決めされていて、見開き頁を適宜選択することができるものからなることを特徴とする請求項１〜請求項６のいずれかに記載の販売促進情報を選択的に提示する動画像表示システム。
【請求項８】
前記プロジェクタ手段が、上下動駆動手段を備え、上下方向に調節設定可能であることを特徴とする請求項１〜請求項７のいずれかに記載の販売促進情報を選択的に提示する動画像表示システム。
【発明の詳細な説明】
【技術分野】
【０００１】
この発明は、顧客に商品またはサービスを宣伝し、例えば、見本帳と称する情報伝達媒体を介在して商品等の販売を行なう商品販売システムにおいて、より顧客の購買意欲を喚起し、趣向性を凝らしてデモンストレーションするための販売促進情報を選択的に提示する動画像表示システムに関するものである。
【背景技術】
【０００２】
周知のように、従来、見本帳と称する情報伝達媒体を介在して商品等の販売を行なう商品販売システムにおいて、見本帳とは、特許文献１に記載されているもののように、最終製品に用いられる素材の一部をサンプル片として、当該サンプル片を冊子に配列添付した構成のものである。この従来の見本帳は、単に、サンプル片が提示されるだけのものであって、例えば、生地サンプルから衣服製品を仕立てて販売するような商品販売システムの場合に、仕立て上がりの形態が充分に把握することができず、往々にして、顧客の購買意欲を低減させるという大きな問題を有していた。
【０００３】
上記する従来の見本帳において、仕立て上がりの形態が充分に把握することができないという問題を解決するアイデアとして、例えば、 特許文献２に記載の見本帳が提案されている。この特許文献２に記載の見本帳は、所要位置に窓口５を開口すると共に、この窓口５に適合して見本被服写真６を表示した見本被服表示紙２と、免許証４を所定位置に定置し、免許証４の顔写真４ａを見本被服表示紙２の窓口５に表示する免許証定置台紙３とによって構成されるものである。このアイデアも一考の余地はあるものの、顧客の購買意欲をより高めるという点においては、到って初歩的なものにすぎない。
【０００４】
一方、見本帳を介在する商品販売システムにおいて、情報処理技術の発達にともなうデータ処理を組み合わせた構成の見本帳介在販売システムが、例えば、特許文献３に記載のものとして提供されている。この特許文献３に記載の発明は、見本帳は見本帳として個別に準備しておき、この見本帳（冊子）５とテレビ（提示手段）３とを組み合わせて、見本帳に掲載される情報に対応する動画像を出力するように構成したものである。
【０００５】
この特許文献３に記載のデータ提示方法およびシステムは、動画像を提示するという点において、この種のシステムとして有効なものではあるが、見本帳は見本帳として個別に準備し、動画像は動画像として見本帳とは切り離されて処理される構成のものである点、さらには、当該動画像が極めて普遍化したテレビ画像である点など、顧客による操作に基づく興趣性に劣るものであり、商品販売システムにおけるデモンストレーションシステムとしては充分なものではない。
【０００６】
【特許文献１】実開平７−８８７４号公報（要約、図１）
【特許文献２】登録実用新案第３０８２２１８号公報（要約、図１、図５）
【特許文献３】特開平８−２３７５８５号公報（要約、図１）
【発明の開示】
【発明が解決しようとする課題】
【０００７】
そこで、この発明では、上記する従来技術の問題点を解消すべくなしたものであって、特に重要な要素は、顧客に商品またはサービスを宣伝し、見本帳と称する情報伝達媒体を介在して商品等の販売を行なう商品販売システムにおいて、冊子状の見本帳自体に動画像を投影するように構成したものであり、サンプル片を片側に見ながら、 且つ触れながら確実に対応させた状況で情報確認をすることができ、且つ、顧客によるページを捲るという操作に基づいて、直ちに動画像が見本帳上に出現するという全く新たな興趣性をもたらし、以って、顧客の購買意欲を喚起させ得るという販売促進情報を選択的に提示する動画像表示システムを提供するものである。
【課題を解決するための手段】
【０００８】
この発明は、上記する目的を達成するにあたって、具体的には、複数葉のシートを冊子状に綴り合わせ、見開いた一方のシート面に伝達すべき情報を表示する情報表示部と、前記情報表示部の情報をコード化して表示するコード表示部とを備え、見開いた他方のシート面をスクリーン領域とする情報伝達媒体と、前記コード表示部のコード表示を読み取るコード読み取り手段と、前記コード読み取り手段によって読み取られた情報に基づいて、プログラムされた動画像を選択するコンピュータ手段と、前記選択された動画像を出力し、前記情報伝達媒体のスクリーン領域に動画像を投影するプロジェクタ手段とを組み合わせてなることを特徴とする販売促進情報を選択的に提示する動画像表示システムを構成するものである。
【０００９】
さらに、この発明において請求項２に記載の発明は、請求項１に記載の販売促進情報を選択的に提示する動画像表示システムであって、前記情報伝達媒体の情報表示部が、視覚並びに触覚により情報を認識するサンプル等を取付けるための第１の情報表示部と、視覚により情報を認識するイラストあるいは写真等による第２の情報表示部とからなることを特徴とするものである。
【００１０】
さらに、この発明において請求項３に記載の発明は、請求項１あるいは請求項２に記載の発明であって、前記第１の情報表示部におけるサンプル等が、衣服仕立てのための生地サンプル片であり、前記第２の情報表示部におけるイラストあるいは写真等が、前記生地サンプル片に基づいて仕立てられた衣服のデザイン形態を現わすものであり、スクリーン領域に投影される動画像が、前記仕立てられた衣服を着用したモデルの動的姿態を現わすものからなることを特徴とするものである。
【００１１】
さらに、この発明において請求項４に記載の発明は、請求項１〜請求項３のいずれかに記載の発明であって、前記コード読み取り手段によって読み取られた情報に基づいて、前記コンピュータ手段によってプログラムされた音声を出力する音声発生手段を備えてなることを特徴とするものである。
【００１２】
さらにまた、この発明において請求項５に記載の発明は、請求項１〜請求項４のいずれかに記載の発明であって、前記複数葉のシートが、紙あるいは合成紙等であって、可撓性を有し、印刷、接着並びに画像投影に適したものからなることを特徴とするものである。
【００１３】
さらにまた、この発明において請求項６に記載の発明は、請求項１〜請求項５のいずれかに記載の発明であって、前記コード表示部に表示されるコードが、バーコードであることを特徴とするものである。
【００１４】
さらにまた、この発明において請求項７に記載の発明は、請求項１〜請求項６のいずれかに記載の発明であって、前記情報伝達媒体が、見開き状態で当該情報伝達媒体を支持するテーブル上に載置され、位置決め手段によって位置決めされていて、見開き頁を適宜選択することができるものからなることを特徴とするものである。
【００１５】
さらにまた、この発明において請求項８に記載の発明は、請求項１〜請求項７のいずれかに記載の発明であって、前記プロジェクタ手段が、上下動駆動手段を備え、上下方向に調節設定可能であることを特徴とするものである。
【発明の効果】
【００１６】
この発明になる販売促進情報を選択的に提示する動画像表示システムによれば、まず第１に、複数葉のシートを中央で綴り合わせ、一葉捲る毎に個別の情報が現われるように冊子状に構成した情報伝達媒体に対して、見開いた一方のシート面に伝達すべき情報を表示する情報表示部と、前記情報表示部の情報をコード化して表示するコード表示部とを設けておき、見開いた他方のシート面をスクリーン領域として構成した点において、情報伝達媒体自体に動画像を投影することができ、サンプル片を片側に見ながら、 且つ触れながら確実に対応させた状況で情報確認をすることができ、且つ、顧客によるページを捲るという操作に基づいて、直ちに動画像が見本帳上に出現するという全く新たな興趣性をもたらし、以って、顧客の購買意欲を喚起させ得るという点において極めて有効に作用するものといえる。
【発明を実施するための最良の形態】
【００１７】
以下、この発明になる販売促進情報を選択的に提示する動画像表示システムについて、図面に示す具体的な実施例に基づいて詳細に説明する。図１は、この発明になる販売促進情報を選択的に提示する動画像表示システムの具体的な構成例を示す概略的なブロック線図であり、図２は、当該販売促進情報を選択的に提示する動画像表示システムを装置化した概略的な正面図である。
【００１８】
この発明は、基本的には、所謂見本帳に匹敵する冊子状の情報伝達媒体１を含むものからなっている。前記情報伝達媒体１は、複数葉のシート２を中央３で綴り合わせ、一葉捲る毎に個別の情報が現われるように冊子状に構成してある。前記複数葉のシート２は、紙あるいは合成紙等であって、可撓性を有し、印刷、接着並びに画像投影に適したものからなっている。
【００１９】
さらに、この情報伝達媒体１は、見開いた一方のシート面２Ａに伝達すべき情報を表示する情報表示部４と、前記情報表示部４の情報をコード化して表示するコード表示部５とを備えており、見開いた他方のシート面２Ｂがスクリーン領域６を構成するものからなっている。この発明の好ましい実施例によれば、前記情報表示部４は、視覚並びに触覚により情報を認識するサンプル等を取付ける第１の情報表示部７と、視覚により情報を認識するイラストあるいは写真等の第２の情報表示部８とによって構成されている。
【００２０】
この発明のより好ましい実施例によれば、前記第１の情報表示部７には、衣服仕立てのための生地サンプル片が取付けられており、前記第２の情報表示部８には、前記生地サンプル片に基づいて仕立てられた衣服のデザイン形態がイラストあるいは写真等によって現わされていて、前記スクリーン領域６には、前記仕立てられた衣服を着用したモデルの動的姿態が投影されるようになっている。当然のことながら、前記第１および第２の情報表示部７、８に関連して、前記情報表示部４並びに前記スクリーン領域６の適宜個所に、これらの情報に関連する文章、文字、記号、図柄、マークなどの情報が表示してある。
【００２１】
この冊子状の情報伝達媒体１は、図２に示すように、見開いた状態でテーブル９の上に載置され、位置決め手段１０によってテーブル９上に位置決めされる。前記冊子状の情報伝達媒体１の見開き一葉の寸法は、幅寸法Ｗが約３０ｃｍ〜１００ｃｍ程度であり、長さ寸法Ｌが約５０ｃｍ〜１８０ｃｍ程度である。前記情報伝達媒体１の上記寸法は、特に、限定されるものではない。前記冊子状の情報伝達媒体１は、前記テーブル 9上において、顧客による捲り操作により、順次ないしは飛び越して、見開き頁を適宜選択することができる。
【００２２】
一方、この発明は、前記情報表示部４の情報をコード化して、例えば、バーコード１１として表示してあるコード表示部５に対して、これを読み取るためのコード読み取り手段１２と、このコード読み取り手段１２によって読み取られた情報に基づいて、プログラムされた動画像を選択するコンピュータ手段１３と、前記選択された動画像を出力し、前記情報伝達媒体１におけるスクリーン領域６に動画像を投影するプロジェクタ手段１４とを備えている。さらに、好ましい実施例によれば、前記コード読み取り手段１２によって読み取られた情報に基づいて、前記コンピュータ手段１３によってプログラムされた音声を出力する、例えば、ヘッドホーンなどの音声発生手段１５を備えている。
【００２３】
前記コンピュータ手段１３は、一般的なパーソナルコンピュータＰＣにより構成されているものであり、ＵＳＢ（Ｕｎｉｖｅｒｓａｌ  Ｓｅｒｉａｌ  Ｂｕｓ）インタフェースによりコード読み取り手段１２に接続されており、ＶＧＡ (Ｖｉｄｅｏ  Ｇｒａｐｈｉｃｓ  Ａｒｒａｙ）ラインによりプロジェクタ手段１４に接続してある。一方、音声発生手段１５は、ＡＵＤＩＯラインを介してコンピュータ手段１３に接続されている。
【００２４】
さらに、この発明において、前記プロジェクタ手段１４は、上下動駆動手段１６を備えていて、必要に応じて上下方向に調節設定可能なものとして構成されている。
【産業上の利用可能性】
【００２５】
この発明になる販売促進情報を選択的に提示する動画像表示システムは、商品販売を含むイベント、展示会などでのプレゼンテーションあるいはデモンストレーションなどにおいて有効に利用される。さらに、この発明になる販売促進情報を選択的に提示する動画像表示システムは、美術館あるいはその他の施設接などにおける展示案内、インフォメーションに対しても有効であり、ＣＤ／ＤＶＤの視聴機に転用することもできる。
【図面の簡単な説明】
【００２６】
【図１】図１は、この発明になる販売促進情報を選択的に提示する動画像表示システムの具体的な構成例を示す概略的なブロック線図である。
【図２】図２は、当該販売促進情報を選択的に提示する動画像表示システムを装置化した概略的な正面図である。
【符号の説明】
【００２７】
１  冊子状の情報伝達媒体
２  複数葉のシート
２Ａ  見開いた一方のシート面
２Ｂ  見開いた他方のシート面
３  中央綴り合わせ部
４  情報表示部
５  コード表示部
６  スクリーン領域
７  第１の情報表示部
８  第２の情報表示部
９  テーブル
１０  位置決め手段
１１  バーコード
１２  コード読み取り手段
１３  コンピュータ手段
１４  プロジェクタ手段
１５  音声発生手段
１６  上下動駆動手段
【図１】
2005084599.tif 000003
【図２】
2005084599.tif 000004